(57)【要約】【課題】ライセンス情報により管理される使用制限付きコンテンツの利用性を向上させることができるようにする。【解決手段】本発明のカメラ付ディジタル携帯電話機においては、ステップＳ１１乃至Ｓ２９において、使用状態判定部は、使用制限付きコンテンツの現在の使用状態の判定し、記憶部は主制御部の制御に従い、記憶されているコンテンツ管理データベースを更新する。使用状態判定部は、更新された後のコンテンツ管理データベースを参照して、使用制限付きコンテンツの現在の使用状態が、使用制限付きコンテンツを使用することができない使用不可状態であるか否かを判定する。主制御部は、判定結果に基づき、LCD制御部を制御し、例えば、使用状態通知ダイアログ、コンテンツ管理テーブル、およびライセンス購入ダイアログなどを液晶ディスプレイに表示させる。【選択図】  図８
2007257493.tif 000002
【特許請求の範囲】
【請求項１】
使用制限付きコンテンツを記憶する記憶手段と、
前記使用制限付きコンテンツに対応付けられたライセンス情報に含まれる使用制限情報に基づいて、前記使用制限付きコンテンツの使用状態を判定する使用状態判定手段と、
前記使用状態判定手段により前記使用制限付きコンテンツの現在の使用状態が、前記使用制限付きコンテンツを使用することができない使用不可状態、または、前記使用不可状態になる前の予め設定された使用可状態であると判定された場合、前記使用制限付きコンテンツの使用状態に関する使用状態関連情報を通知する通知手段とを備えることを特徴とする情報処理装置。
【請求項２】
前記通知手段は、前記使用制限付きコンテンツの使用状態に関する使用状態関連情報を表示する表示手段を備え、
前記通知手段は、前記表示手段により前記使用制限付きコンテンツの使用状態に関する使用状態関連情報を表示することにより、前記使用制限付きコンテンツの使用状態に関する使用状態関連情報を通知することを特徴とする請求項１に記載の情報処理装置。
【請求項３】
前記通知手段は、前記使用制限付きコンテンツの使用状態に応じた報知音を発生する報知音発生手段を備え、
前記通知手段は、前記報知音発生手段により前記報知音を発生することにより、前記使用制限付きコンテンツの使用状態に関する使用状態関連情報を通知することを特徴とする請求項１に記載の情報処理装置。
【請求項４】
前記使用制限付きコンテンツの使用状態の監視を開始するか否かを判定する使用状態監視開始判定手段をさらに備え、
前記使用状態監視開始判定手段により前記使用制限付きコンテンツの使用状態の監視を開始すると判定された場合、前記使用状態判定手段は、前記使用制限付きコンテンツの使用状態を判定することを特徴する請求項１に記載の情報処理装置。
【請求項５】
前記使用制限付きコンテンツに対応付けられたライセンス情報に含まれる使用制限情報には、少なくとも、使用制限期間または使用制限回数が含まれることを特徴とする請求項１に記載の情報処理装置。
【請求項６】
使用制限付きコンテンツを記憶する記憶手段と、
外部から着信があった場合の着信音または待ち受け画面に前記使用制限付きコンテンツを設定し、外部から着信があった場合または待ち受け画面の表示時に前記使用制限付きコンテンツを再生する再生手段と、
前記着信音または待ち受け画面に設定された前記使用制限付きコンテンツの使用状態が、前記使用制限付きコンテンツを使用することができない使用不可状態、または、前記使用不可状態になる前の予め設定された使用可状態であると判定された場合、前記使用制限付きコンテンツの使用状態に関する使用状態関連情報を通知する通知手段とを備えることを特徴とする情報処理装置。
【発明の詳細な説明】
【技術分野】
【０００１】
本発明は情報処理装置に係り、特に、ライセンス情報により管理されるコンテンツの利用性を向上させることができるようにした情報処理装置に関する。
【背景技術】
【０００２】
近年、ディジタル技術の発達により、インターネットなどのネットワークを介して携帯電話機や情報処理装置にディジタルコンテンツ（例えば、携帯電話機の着信メロディーや携帯電話機用のゲームなど）を提供することが可能となっている。
【０００３】
ディジタルコンテンツは、アナログのコンテンツと異なり、コンテンツの複製を何度繰り返してもその品質が劣化しないため、一旦市場にディジタルコンテンツが流通すると、コンテンツの著作権者の許可なく携帯電話機や情報処理装置などによりコンテンツを無断で複製するという不正利用が行われるおそれがある。
【０００４】
そこで、コンテンツ販売業者は、ディジタルコンテンツをユーザに販売する際、コンテンツの利用を許可するライセンス情報をユーザに付与することにより、ライセンス情報を保有しない他のユーザ（すなわち、コンテンツを正当な経路で購入していないユーザ）がコンテンツを不正に利用することを防止している。ここで、コンテンツ購入時にライセンス情報が付与されるコンテンツを、「ライセンス情報により管理されるコンテンツ」と定義する。
【０００５】
最近では、ライセンス情報により管理されるコンテンツの中には、月額数百円程度支払うことにより１ヶ月以内であれば無制限に利用することができるコンテンツだけでなく、携帯電話機や情報処理装置に用いられる壁紙や着信音などのように、ライセンス情報により使用期間や使用回数などが予め制限された著作権保護ファイル形式（OMA Separate Delivery形式）のコンテンツ（以下、「使用制限付きコンテンツ」という。）も販売されている。なお、使用回数が予め制限されている使用制限付きコンテンツの場合、使用期間が制限されている使用制限付きコンテンツとは異なり、壁紙や着信音には設定できない。
【０００６】
使用制限付きコンテンツの場合、予め設定された使用制限期間や使用制限回数が満了すると、そのコンテンツの利用が制限され、ユーザはコンテンツを利用すること（再生や表示すること）ができなくなる。
【０００７】
しかし、使用制限付きコンテンツのうち、例えばライセンス情報により使用期間が予め制限されたコンテンツの場合、ユーザの携帯電話機や情報処理装置に内蔵されたタイマとコンテンツ販売業者が運営するコンテンツサーバのタイマにずれが生じていると、ライセンス情報により使用制限期間を予め設定していても、設定された使用制限期間の満了時に正確にコンテンツの利用を制限することができなかった。
【０００８】
そこで、コンテンツ情報に予め利用期限と内部時計の時刻の差分情報を付与した上でクライアント装置に送信する方法が提案されている（例えば、特許文献１参照）。
【０００９】
特許文献１に提案されている方法によれば、コンテンツ配信時にコンテンツ提供者側とユーザ側の利用期限の認識を一致させ、コンテンツ配信後にデバイス内の時計にずれが生じた場合にも利用期限の経過を正確に判定することができる。これにより、コンテンツ提供者の所望するコンテンツ利用期限に、正確にコンテンツの利用を制限することができる。
【特許文献１】特開２００１−２６５６６２号公報
【発明の開示】
【発明が解決しようとする課題】
【００１０】
ところで、使用制限付きコンテンツの場合、使用制限期間や使用制限回数が満了すると、ユーザはそのコンテンツを利用することができなくなる。従って、ユーザが使用制限期間や使用制限回数が満了した使用制限付きコンテンツの更なる利用を所望する場合には、ユーザは、再度、コンテンツ販売業者から同じ使用制限付きコンテンツのライセンス情報を購入する必要がある。
【００１１】
しかし、ユーザは、通常、使用制限付きコンテンツを利用することができなくなったとき（再生や表示することできなくなったとき）に初めて、ライセンス情報により予め設定された使用制限期間や使用有制限回数などが満了したことを知る。すなわち、ライセンス情報により予め設定された使用制限期間や使用制限回数などが満了する前に、現在使用している使用制限付きコンテンツがいつ使用できなくなるかなどの使用状態を調べることは煩わしいものであるため、ユーザが使用制限付きコンテンツの使用状態を事前にチェックすることはほとんど行われていなかった。
【００１２】
そのため、ユーザが使用制限期間や使用制限回数が満了したコンテンツのその後の更なる利用を所望する場合、ユーザは、その使用制限付きコンテンツを利用することができなくなった後、再度、コンテンツ販売業者から同じコンテンツのライセンス情報を購入するようにしなければならず、ライセンス情報により予め設定された使用制限期間や使用制限回数などが満了する前に新たなライセンス情報を事前に購入することにより、使用制限付きコンテンツの使用制限期間や使用制限回数などを延長させることは困難であった。
【００１３】
一方、ユーザが使用制限期間や使用制限回数が満了した使用制限付きコンテンツとは異なる使用制限付きコンテンツのその後の利用を所望する場合でも、ユーザは、その使用制限付きコンテンツを利用することができなくなった後、その後利用を所望する使用制限付きコンテンツを決定し、別のコンテンツ販売業者が運営するコンテンツサーバからその使用制限付きコンテンツをライセンス情報とともに購入しなければならず、ユーザにとって大変煩わしいものであった。
【００１４】
このように、使用制限付きコンテンツを利用する場合、ライセンス情報により予め設定された使用制限期間や使用制限回数などが満了するまでの間に、ユーザが使用制限付きコンテンツの現在の使用状態を知ることは容易でないため、使用制限付きコンテンツの利用性が悪いという課題があった。
【００１５】
本発明は、このような状況に鑑みてなされてものであり、ライセンス情報により管理される使用制限付きコンテンツの利用性を向上させることができる情報処理装置を提供することを目的としている。
【課題を解決するための手段】
【００１６】
本発明の情報処理装置は、上述した課題を解決するために、使用制限付きコンテンツを記憶する記憶手段と、使用制限付きコンテンツに対応付けられたライセンス情報に含まれる使用制限情報に基づいて、使用制限付きコンテンツの使用状態を判定する使用状態判定手段と、使用状態判定手段により使用制限付きコンテンツの現在の使用状態が、使用制限付きコンテンツを使用することができない使用不可状態、または、使用不可状態になる前の予め設定された使用可状態であると判定された場合、使用制限付きコンテンツの使用状態に関する使用状態関連情報を通知する通知手段とを備えることを特徴とする。
【発明の効果】
【００１７】
本発明によれば、ライセンス情報により管理される使用制限付きコンテンツの利用性を向上させることができる。
【発明を実施するための最良の形態】
【００１８】
以下、本発明の実施の形態について、図面を参照しながら説明する。
【００１９】
図１は、本発明を適用したネットワークシステム１の全体の構成を表している。
【００２０】
ネットワークシステム１には、通信サービスの提供エリアを所望の大きさに分割したセル内にそれぞれ固定無線局である基地局１４−１乃至１４−４が設置されている。これらの基地局１４−１乃至１４−４には、移動無線局であるカメラ付ディジタル携帯電話機１５−１乃至１５−４が例えばW-CDMA（Wideband-Code Division Multiple Access）と呼ばれる符号分割多元接続方式によって無線接続されており、例えば２［ＧＨｚ］の周波数帯域を使用して最大２［Ｍｂｐｓ］のデータ転送速度で大容量データを高速にデータ通信することができる。
【００２１】
このようにカメラ付ディジタル携帯電話機１５−１乃至１５−４は、W-CDMA方式によって大容量データを高速にデータ通信できることにより、音声通話だけでなく電子メールの送受信、簡易ホームページの閲覧、画像の送受信等の多種に及ぶデータ通信を実行できる。
【００２２】
また、基地局１４−１乃至１４−４は、有線回線を介して公衆回線網１３に接続されており、公衆回線網１３には、インターネットサービスプロバイダのアクセスサーバ１２が接続されている。アクセスサーバ１２には、ネットワーク１１（例えば、インターネット、LAN（Local Area Network）、WAN（Wide Area Network）、その他の各種のネットワークを含む）を介してコンテンツサーバ１６−１乃至コンテンツサーバ１６−ｎからなるコンテンツ提供装置１７が接続される。
【００２３】
なお、カメラ付ディジタル携帯電話機１５−１乃至１５−４は、以下において、それぞれを個々に区別する必要がない場合、カメラ付ディジタル携帯電話機１５と総称する。また、基地局１４−１乃至１４−４またはコンテンツサーバ１６−１乃至コンテンツサーバ１６−ｎも、以下において、それぞれを個々に区別する必要がない場合、基地局１４またはコンテンツサーバ１６と総称する。
【００２４】
図２は、図１のカメラ付ディジタル携帯電話機１５の外観の構成を表している。なお、図２[A]は、カメラ付のディジタル携帯電話機１５を約１８０度に開いたときの正面から見た外観の構成を表しており、図２[B]は、カメラ付のディジタル携帯電話機１５を約１８０度に開いたときの側面から見た外観の構成を表している。
【００２５】
図２[A]と[B]に示されるように、カメラ付ディジタル携帯電話機１５は、中央のヒンジ部３１を境に第１の筐体３２と第２の筐体３３とで構成されており、ヒンジ部３１を介して折り畳み可能に形成される。カメラ付ディジタル携帯電話機１５の内部の所定の位置には、送受信用のアンテナ（後述する図４のアンテナ６４）が設けられており、内蔵されたアンテナを介して基地局１４との間で電波を送受信する。
【００２６】
第１の筐体３２には、その正面に液晶ディスプレイ３４が設けられており、電波の受信状態、電池残量、電話帳として登録されている相手先名や電話番号及び送信履歴等の他、電子メールの内容、簡易ホームページ、CCDカメラ（後述する図３のCCDカメラ４０）で撮像した画像、外部のコンテンツサーバ１６より受信したコンテンツ（使用制限つきコンテンツまたは使用制限のないコンテンツ）、メモリカード６６に記憶されている（使用制限つきコンテンツまたは使用制限のないコンテンツ）を表示することができる。また、液晶ディスプレイ３４の上部の所定の位置にはスピーカ３５が設けられており、これにより、ユーザは音声通話することが可能である。
【００２７】
一方、第２の筐体３３には、その表面に「０」乃至「９」の数字キー、発呼キー、リダイヤルキー、終話・電源キー、クリアキー、および電子メールキーなどの操作キー３６が設けられており、操作キー３６を用いて各種指示を入力することができる。
【００２８】
第２の筐体３３には、操作キー３６として上部に十字キーと確定キーが設けられており、ユーザが十字キーを上下左右方向に操作することにより当てられたカーソルを上下左右方向に移動させることができる。具体的には、液晶ディスプレイ３４に表示されている電話帳リストや電子メールのスクロール動作、簡易ホームページのページ捲り動作および画像の送り動作などの種々の動作を実行する。
【００２９】
また、確定キーを押下することにより、種々の機能を確定することができる。例えば第２の筐体３３は、ユーザによる十字キーの操作に応じて液晶ディスプレイ３４に表示された電話帳リストの複数の電話番号の中から所望の電話番号が選択され、確定キーが第２の筐体３３の内部方向に押圧されると、選択された電話番号を確定して電話番号に対して発呼処理を行う。
【００３０】
さらに、第２の筐体３３には、十字キーと確定キーの左隣に電子メールキーが設けられており、電子メールキーが第２の筐体３３の内部方向に押圧されると、メールの送受信機能を呼び出すことができる。十字キーと確定キーの右隣には、ブラウザキーが設けられており、Webなどに接続することができる。
【００３１】
また、第２の筐体３３には、操作キー３６の下部にマイクロフォン３７が設けられており、マイクロフォン３７によって通話時のユーザの音声を集音する。また、第２の筐体３３には、カメラ付ディジタル携帯電話機の操作を行うサイドキー３８が設けられている。
【００３２】
なお、第２の筐体３３は、背面側に図示しないバッテリパックが挿着されており、終話・電源キーがオン状態になると、バッテリパックから各回路部に対して電力が供給されて動作可能な状態に起動する。
【００３３】
ところで、第２の筐体３３には、第２の筐体３３の下部の所定の位置に抜差自在なメモリカード（後述する図４のメモリカード６６）を挿着するためのメモリカードスロット（図示せず）が設けられており、メモボタン（図示せず）が押下されるとメモリカードに通話中の相手の音声を記録したり、ユーザの操作に応じて電子メール、簡易ホームページ、CCDカメラで撮像した画像を記録することができる。
【００３４】
ここで、メモリカードは、フラッシュメモリカードの一種であり、小型薄型形状のプラスチックケース内に電気的に書換えや消去が可能な不揮発性メモリであるEEPROM（Electrically Erasable and Programmable Read Only Memory）の一種であるフラッシュメモリ素子を格納したものであり、１０ピン端子を介して画像や音声、音楽等の各種データの書き込み及び読み出しが可能となっている。
【００３５】
また、メモリカードは、大容量化等による内蔵フラッシュメモリの仕様変更に対しても、使用する機器で互換性を確保することができる独自のシリアルプロトコルを採用し、高速性能を実現しているとともに、誤消去防止スイッチを設けて高い信頼性を確保している。
【００３６】
従って、カメラ付ディジタル携帯電話機１５は、このようなメモリカードを挿着可能に構成されているために、メモリカードを介して他の電子機器との間でデータの共有化を図ることができる。
【００３７】
また、第１の筐体３２と第２の筐体３３の内部の所定の位置には、カメラ付ディジタル携帯電話機１５の状態を検知するための磁気センサ３９a、３９b、３９c、および３９dが設けられる。これにより、カメラ付ディジタル携帯電話機１５が現在のどのような状態であるかを検知することができる。
【００３８】
図３は、図１のカメラ付ディジタル携帯電話機１５の外観の構成を表している。なお、図３[A]は、カメラ付のディジタル携帯電話機１５を閉じたときの正面から見た外観の構成を表しており、図３[B]は、カメラ付のディジタル携帯電話機１５を閉じたときの側面から見た外観の構成を表している。
【００３９】
第１の筐体３２の上部には、CCDカメラ４０が設けられており、これにより、所望の撮影対象を撮像することができる。CCDカメラ４０の下部には、サブディスプレイ４１が設けられており、現在のアンテナの感度のレベルを示すアンテナピクト、カメラ付のディジタル携帯電話機１５の現在の電池残量を示す電池ピクト、現在の時刻などが表示される。
【００４０】
サブディスプレイ４１の下部には、さらに、静電タッチパッド４２が設けられている。静電タッチパッド４２は、見かけ上一枚のタッチパッドになっているが、図示せぬセンサが複数個所に設けられており、ユーザがセンサの付近をタッチすると、センサがそれを検知し、巻戻し機能、早送り機能、音量ダウン動作、音量アップ動作、再生動作、および一時停止動作などが実行される。
【００４１】
図４は、カメラ付ディジタル携帯電話機１５の内部の構成を表している。
【００４２】
図４に示されるように、カメラ付ディジタル携帯電話機１５は、第１の筐体３２及び第２の筐体３３の各部を統括的に制御する主制御部５１に対して、電源回路部５２、操作入力制御部５３、画像エンコーダ５４、カメラインタフェース部５５、LCD（Liquid Crystal Display）制御部５６、多重分離部５８、変復調回路部５９、音声コーデック６０、および記憶部６７がメインバス６１を介して互いに接続されるとともに、画像エンコーダ５３、画像デコーダ５７、多重分離部５８、変復調回路部５９、音声コーデック６０、および記録再生部６５が同期バス６２を介して互いに接続されて構成されている。
【００４３】
電源回路部５２は、ユーザの操作により終話・電源キーがオン状態にされると、バッテリパックから各部に対して電力を供給することによりカメラ付ディジタル携帯電話機１５を動作可能な状態に起動する。
【００４４】
主制御部５１は、ＣＰＵ、ＲＯＭ、およびＲＡＭなどでからなり、種々の制御信号を生成し、各部に供給することによりカメラ付ディジタル携帯電話機１５を統括的に制御する。なお、主制御部５１には、現在の日付と時刻を正確に計測するタイマが内蔵されている。
【００４５】
カメラ付ディジタル携帯電話機１５は、主制御部５１の制御に基づいて、音声通話モード時にマイクロフォン３７で集音した音声信号を音声コーデック６０によってディジタル音声信号に変換、圧縮し、これを変復調回路部５９でスペクトラム拡散処理し、送受信回路部６３でディジタルアナログ変換処理及び周波数変換処理を施した後にアンテナ６４を介して送信する。
【００４６】
また、カメラ付ディジタル携帯電話機１５は、音声通話モード時にアンテナ６４で受信した受信信号を増幅して周波数変換処理及びアナログディジタル変換処理を施し、変復調回路部５９でスペクトラム逆拡散処理し、音声コーデック６０によって伸張し、アナログ音声信号に変換した後、変換されたアナログ音声信号をスピーカ３５を介して出力する。
【００４７】
さらに、カメラ付ディジタル携帯電話機１５は、データ通信モード時に電子メールを送信する場合、操作キー３６の操作によって入力された電子メールのテキストデータを操作入力制御部５３を介して主制御部５１に送出する。主制御部５１は、テキストデータを変復調回路部５９でスペクトラム拡散処理し、送受信回路部６３でディジタルアナログ変換処理及び周波数変換処理を施した後にアンテナ６４を介して基地局１４へ送信する。
【００４８】
これに対してカメラ付ディジタル携帯電話機１５は、データ通信モード時に電子メールを受信する場合、アンテナ６４を介して基地局１４から受信した受信信号を変復調回路部５９でスペクトラム逆拡散処理して元のテキストデータを復元した後、LCD制御部５６を介して液晶ディスプレイ３４に電子メールとして表示する。
【００４９】
その後カメラ付ディジタル携帯電話機１５は、ユーザの操作に応じて受信した電子メールを記録再生部６５を介してメモリカード６６に記録することも可能である。
【００５０】
カメラ付ディジタル携帯電話機１５は、画像信号を送信しない場合には、CCDカメラ４０で撮像した画像信号をカメラインタフェース部５５及びLCD制御部５６を介して液晶ディスプレイ３４に直接表示する。
【００５１】
カメラ付ディジタル携帯電話機１５は、データ通信モード時に画像信号を送信する場合、CCDカメラ４０で撮像された画像信号をカメラインタフェース部５５を介して画像エンコーダ５４に供給する。
【００５２】
画像エンコーダ５４は、CCDカメラ４０から供給された画像信号を、例えばMPEG（Moving Picture Experts Group）４などの所定の符号化方式によって圧縮符号化することにより符号化画像信号に変換し、変換された符号化画像信号を多重分離部５８に送出する。このとき同時にカメラ付ディジタル携帯電話機１５は、CCDカメラ４０で撮像中にマイクロフォン３７で集音した音声を音声コーデック６０を介してディジタルの音声信号として多重分離部５９送出する。
【００５３】
多重分離部５９は、画像エンコーダ５４から供給された符号化画像信号と音声コーデック６０から供給された音声信号とを所定の方式で多重化し、その結果得られる多重化信号を変復調回路部５９でスペクトラム拡散処理し、送受信回路部６３でディジタルアナログ変換処理及び周波数変換処理を施した後にアンテナ６４を介して送信する。
【００５４】
これに対してカメラ付ディジタル携帯電話機１５は、データ通信モード時に例えば簡易ホームページ等にリンクされた動画像ファイルのデータを受信する場合、アンテナ６４を介して基地局１４から受信した受信信号を変復調回路部５９でスペクトラム逆拡散処理し、その結果得られる多重化信号を多重分離部５８に送出する。
【００５５】
多重分離部５８は、多重化信号を分離することにより符号化画像信号と音声信号とに分け、同期バス６２を介して符号化画像信号を画像デコーダ５７に供給すると共に音声信号を音声コーデック６０に供給する。画像デコーダ５７は、符号化画像信号をMPEG４などの所定の符号化方式に対応した復号化方式でデコードすることにより再生動画像信号を生成し、生成された再生動画像信号をLCD制御部５６を介して液晶ディスプレイ３４に供給し、これにより、例えば、簡易ホームページにリンクされた動画像ファイルに含まれる動画データが表示される。
【００５６】
このとき同時に音声コーデック６０は、音声信号をアナログ音声信号に変換した後、これをスピーカ３５に供給し、これにより、例えば、簡易ホームページにリンクされた動画像ファイルに含まる音声信号が再生される。この場合も電子メールの場合と同様にカメラ付ディジタル携帯電話機１５は、受信した簡易ホームページ等にリンクされたデータをユーザの操作により記録再生部６５を介してメモリカード６６に記録することが可能である。
【００５７】
記憶部６７は、コンテンツサーバ１６からネットワーク１１を介して送受信回路部６３により受信された複数の使用制限付きコンテンツと、その使用制限付きコンテンツのライセンスデータを記憶し、必要に応じて記録再生部６５に供給する。また、記憶部６７は、使用制限付きコンテンツの名称、その使用制限付きコンテンツのライセンスデータに含まれる使用制限期間や使用制限回数などの使用制限情報、および使用制限付きコンテンツの現在の使用状態などが予め対応付けられて登録されているコンテンツ管理データベースを記憶し、適宜、コンテンツ管理データベースを更新する。
【００５８】
使用状態監視開始判定部６８は、記憶部６７に記憶されている使用制限付きコンテンツの現在の使用状態の監視を開始するか否かを判定し、判定結果に基づいて使用状態監視開始指示信号を生成し、主制御部５１に供給する。
【００５９】
使用状態判定部６９は、主制御部５１から供給された使用状態判定開始制御信号に基づいて、記憶部６７に記憶されている使用制限付きコンテンツのうち、ユーザにより使用するように予め設定されている使用制限付きコンテンツの現在の使用状態の判定を開始し、判定結果を主制御部５１に供給する。
【００６０】
図５は、コンテンツサーバ１６の構成を表している。
【００６１】
コンテンツサーバ１６は、送受信部７１、データ処理部７２、コンテンツデータベース７３、およびライセンスデータデータベース７４により構成されている。
【００６２】
送受信部７１は、カメラ付ディジタル携帯電話機１５からネットワーク１１を介してライセンス取得要求信号を受信し、データ処理部７２に供給する。データ処理部７２は、送受信部７１から供給されたライセンス取得要求を解析し、その解析結果に基づいて、ライセンスデータデータベース７４から対応するライセンスデータを読み出し、新たなライセンスデータを生成する。データ処理部７２は、生成された新たなライセンスデータをライセンスデータデータベース７４に供給するとともに、送受信部７１に供給する。
【００６３】
コンテンツデータベース７３には、コンテンツID、コンテンツの名称、およびコンテンツの内容が予め対応付けられて登録されている。
【００６４】
ライセンスデータデータベース７４には、データ処理部１７２により生成されたライセンスデータ（例えば、管理番号、ユーザID、ライセンスID、コンテンツID、コンテンツの名称、使用制限情報などが予め対応付けたデータ）が登録されており、データ処理部７２の指示に基づいて、適宜、登録されているライセンスデータをデータ処理部７２に供給する。
【００６５】
次に、図６のフローチャートを参照して、図４のカメラ付ディジタル携帯電話機１５における使用状態監視処理について説明する。
【００６６】
ステップＳ１において、主制御部５１は、ユーザが操作キー３６を操作することにより使用制限付きコンテンツが予め壁紙（待ち受け画面用の壁紙）や着信音などに設定されているか否かを判定し、ユーザが操作キー３６を操作することにより使用制限付きコンテンツが予め壁紙や着信音などに設定されていると判定するまで待機する。
【００６７】
ステップＳ１においてユーザが操作キー３６を操作することにより使用制限付きコンテンツが予め壁紙や着信音などに設定されていると判定された場合、使用状態監視開始判定部６８はステップＳ２で、主制御部５１の制御に従い、使用制限付きコンテンツの現在の使用状態の監視を開始するか否かの判定を開始し、磁気センサ３９aと磁気センサ３９dとによる検知に基づいてカメラ付ディジタル携帯電話機１５の状態が閉じた状態から開いた状態に変更されたか否かを判定する。
【００６８】
なお、ステップＳ１の処理よりも前に、ユーザが操作キー３６を操作することにより使用制限付きコンテンツが予め壁紙に設定されている場合、図７に示されるように、液晶ディスプレイ３４に予め設定されている使用制限付きコンテンツが壁紙として表示されている。また、ステップＳ１の処理よりも前に、ユーザが操作キー３６を操作することにより使用制限付きコンテンツが予め着信音に設定されている場合、他のユーザが保有するカメラ付ディジタル携帯電話機１５から着信があったとき、予め着信音に設定されている使用制限付きコンテンツが記憶部６７から読み出され、着信音として用いられる（具体的には、読み出された着信音としての使用制限付きコンテンツが音声コーデック６０にてディジタル信号からアナログ信号に変換され、変換されたアナログ信号がスピーカ３５から出力される）場合もある。
【００６９】
ステップＳ２においてカメラ付ディジタル携帯電話機１５の状態が閉じた状態から開いた状態に変更されたと判定された場合、使用状態監視開始判定部６８は、使用状態判定開始指示信号を生成し、主制御部５１に供給する。ステップＳ３において、主制御部５１は、使用状態監視開始判定部６８から供給された使用状態判定開始指示信号に基づいて、使用制限付きコンテンツの現在の使用状態の判定を開始する使用状態判定開始制御信号を生成し、使用状態判定部６９に供給する。その後、処理はステップＳ４に進み、使用状態判定処理が実行される。この使用状態判定処理の詳細は、図８のフローチャートに示されている。
【００７０】
図８のフローチャートを参照して、図４のカメラ付ディジタル携帯電話機１５における使用状態判定処理の詳細について説明する。
【００７１】
ステップＳ１１において、使用状態判定部６９は、主制御部５１から供給された使用状態判定開始制御信号に基づいて使用制限付きコンテンツの現在の使用状態の判定を開始し、まず、主制御部５１に内蔵されているタイマから現在の日付と正確な時刻を読み出すとともに、記憶部６７に記憶されているコンテンツ管理データベースを読み出す。
【００７２】
図９は、記憶部６７に記憶されているコンテンツ管理データベースの構成例を表している。
【００７３】
図９のコンテンツ管理データベースの第１列目乃至第６列目には、「設定」欄、「コンテンツの名称」欄、「使用制限情報」欄、「使用可能回数」欄、「使用状態」欄、および「使用状態通知時期」欄が設けられており、それぞれの欄に、カメラ付ディジタル携帯電話機１５において使用制限付きコンテンツが用いられる設定（用途）、ユーザがコンテンツ販売業者のコンテンツサーバ１６から購入した使用制限付きコンテンツの名称、使用制限付きコンテンツのライセンスデータに含まれる使用の制限情報、使用回数が制限された使用制限付きコンテンツの残りの使用可能な回数、直近の使用状態判定処理において判定された使用制限付きコンテンツの使用状態、および、ユーザにより予め使用制限付きコンテンツごとに設定された使用制限付きコンテンツの使用状態を通知する時期が登録される。
【００７４】
図９の第１行目の場合、「設定」欄には「壁紙」が登録されており、カメラ付ディジタル携帯電話機１５において使用制限付きコンテンツが用いられる設定（用途）が「壁紙」であることを示している。「コンテンツの名称」欄には「コンテンツA」が登録されており、ユーザがコンテンツ販売業者のコンテンツサーバ１６から購入した使用制限付きコンテンツの名称が「コンテンツA」であることを示している。「使用制限情報」欄には例えば「２月２８日１８時００分」が登録されており、使用制限付きコンテンツのライセンスデータに含まれる使用の制限情報が「２月２８日１８時００分」であること（すなわち、この使用制限付きコンテンツは２月２８日１８時００分まで使用することができること）を示している。「使用可能回数」欄には「／」が登録されており、使用回数が制限された使用制限付きコンテンツではないため、使用可能回数はないことを示している。「使用状態」欄には「使用可状態」が登録されており、直近の使用状態判定処理において判定された使用制限付きコンテンツの使用状態が「使用可状態」であること（すなわち、直近の使用状態判定処理においては、使用制限付きコンテンツを使用することができる使用可状態であると判定されたこと）を示している。「使用状態通知時期」欄には例えば「２月２６日１８時００分」が登録されており、ユーザにより予め使用制限付きコンテンツごとに設定された使用制限付きコンテンツの使用状態を通知する時期が「２月２６日１８時００分」であることを示している。
【００７５】
なお、図９の第１行目の場合、「使用状態通知時期」欄には「２月２６日１８時００分」が登録されており、コンテンツAの使用制限情報が「２月２８日１８時００分」であることから、ユーザは、コンテンツAの使用状態を使用できなくなる２日前以降に通知するように予め設定している。勿論、ユーザは、使用状態通知時期を好みで設定することができる。例えば、使用制限付きコンテンツが使用できなくなる２日前、２４時間前、および１８時間前以降などに使用制限付きコンテンツの使用状態を通知するように設定することができる。また、通知する日時を「２月２６日２０時００分」といったように直接設定することができる。
【００７６】
図９の第２行目の場合、「設定」欄には「着信音」が登録されており、カメラ付ディジタル携帯電話機１５において使用制限付きコンテンツが用いられる設定（用途）が「着信音」であることを示している。「コンテンツの名称」欄には「コンテンツB」が登録されており、ユーザがコンテンツ販売業者のコンテンツサーバ１６から購入した使用制限付きコンテンツの名称が「コンテンツB」であることを示している。「使用制限情報」欄には例えば「３月５日３時３０分」が登録されており、使用制限付きコンテンツのライセンスデータに含まれる使用の制限情報が「３月５日３時３０分」であること（すなわち、この使用制限付きコンテンツは３月５日３時３０分まで使用することができること）を示している。「使用可能回数」欄には「／」が登録されており、使用回数が制限された使用制限付きコンテンツではないため、使用可能回数はないことを示している。「使用状態」欄には「使用可状態」が登録されており、直近の使用状態判定処理において判定された使用制限付きコンテンツの使用状態が「使用可状態」であること（すなわち、直近の使用状態判定処理においては、使用制限付きコンテンツを使用することができる使用可状態であると判定されたこと）を示している。「使用状態通知時期」欄には例えば「３月３日９時００分」が登録されており、ユーザにより予め使用制限付きコンテンツごとに設定された使用制限付きコンテンツの使用状態を通知する時期が「３月３日９時００分」であることを示している。
【００７７】
なお、図９の第２行目の場合、「使用状態通知時期」欄には「３月３日９時００分」が登録されており、コンテンツAの使用制限情報が「３月５日３時３０分」であることから、ユーザは、コンテンツAの使用状態を使用できなくなる１日と１８時間３０分前以降に通知するように予め設定している。
【００７８】
図９の第３行目の場合、「設定」欄には「未設定」が登録されており、カメラ付ディジタル携帯電話機１５において使用制限付きコンテンツが用いられる設定（用途）が「未設定」であること（すなわち、カメラ付ディジタル携帯電話機１５において使用制限付きコンテンツが用いられる設定（用途）がされていないこと）を示している。「コンテンツの名称」欄には「コンテンツC」が登録されており、ユーザがコンテンツ販売業者のコンテンツサーバ１６から購入した使用制限付きコンテンツの名称が「コンテンツC」であることを示している。「使用制限情報」欄には例えば「１０回」が登録されており、使用制限付きコンテンツのライセンスデータに含まれる使用の制限情報が「１０回」であること（すなわち、この使用制限付きコンテンツは１０回まで使用することができること）を示している。「使用可能回数」欄には例えば「３回」が登録されており、使用回数が制限された使用制限付きコンテンツの残りの使用可能な回数が「３回」であることを示している。「使用状態」欄には「使用可状態」が登録されており、直近の使用状態判定処理において判定された使用制限付きコンテンツの使用状態が「使用可状態」であること（すなわち、直近の使用状態判定処理においては、使用制限付きコンテンツを使用することができる使用可状態であると判定されたこと）を示している。「使用状態通知時期」欄には例えば「２回」が登録されており、ユーザにより予め使用制限付きコンテンツごとに設定された使用制限付きコンテンツの使用状態を通知する時期が「２回」であること（すなわち、ユーザにより予め使用制限付きコンテンツごとに設定された使用制限付きコンテンツの使用状態を通知する時期が、使用回数が制限された使用制限付きコンテンツの残りの使用可能な回数が「２回」になったときであること）を示している。
【００７９】
なお、図９の第３行目の場合、「使用状態通知時期」欄には「２回」が登録されており、コンテンツCの使用制限情報が「１０回」であることから、ユーザは、コンテンツCの使用状態が残り２回使用できる使用可状態になったとき通知するように予め設定している。
【００８０】
図９のコンテンツ管理データベースの第４行目と第５行目についても同様であり、その説明は繰り返しになるので省略する。
【００８１】
ステップＳ１２において、使用状態判定部６９は、読み出された現在の日付と正確な時刻とコンテンツ管理データベースを参照して、購入した使用制限付きコンテンツの使用状態を判定する。
【００８２】
具体的には、現在の日付と正確な時刻が例えば「３月１日１４時１６分」であるとき、図９の第１行目の例の場合、「使用制限情報」欄に登録されている使用制限情報が「２月２８日１８時００分」であることから、現在の使用状態が使用制限付きコンテンツを使用することができない使用不可状態であると判定される。
【００８３】
一方、図９の第２行目の例の場合、「使用制限情報」欄に登録されている使用制限情報が「３月５日３時３０分」であることから、現在の使用状態が使用制限付きコンテンツを使用することができる用可状態であると判定される。
【００８４】
使用状態判定部６９は、その判定結果を主制御部３１に供給する。
【００８５】
ステップＳ１３において、主制御部５１は、使用状態判定部６９から供給された判定結果を取得し、取得された判定結果に基づき、記憶部６７を制御し、記憶部６７に記憶されているコンテンツ管理データベースを更新させる。記憶部６７は、主制御部５１の制御に従い、記憶されているコンテンツ管理データベースを更新する。
【００８６】
例えば、現在の日付と正確な時刻が「３月１日１４時１６分」であるとき、図９の第１行目について現在の使用状態が使用制限付きコンテンツを使用することができない使用不可状態であると判定されることから、記憶部６７に記憶されているコンテンツ管理データベースは図１０に示されるように更新される。図１０のコンテンツ管理データベースにおいては、図９のコンテンツ管理データベースの第１行目の「使用状態」欄に登録されている「使用可状態」が「使用不可状態」に更新されている。
【００８７】
ステップＳ１４において、使用状態判定部６９は、購入したすべての使用制限付きコンテンツについて判定処理を行ったか否かを判定する。
【００８８】
ステップＳ１４において購入したすべての使用制限付きコンテンツについて判定処理を行っていないと判定された場合、処理はステップＳ１２に戻り、ステップＳ１２以降の処理が繰り返される。これにより、記憶部６７に記憶されているすべての使用制限付きコンテンツの現在の使用状態を判定することができる。
【００８９】
ステップＳ１４において購入したすべての使用制限付きコンテンツについて判定処理を行ったと判定された場合、使用状態判定部６９はステップＳ１５で、記憶部６７に記憶されている更新された後のコンテンツ管理データベースを読み出し、読み出された更新された後のコンテンツ管理データベースを参照して、ユーザにより予め用途（例えば、壁紙や着信音など）が設定されている使用制限付きコンテンツの現在の使用状態が、使用制限付きコンテンツを使用することができない使用不可状態であるか否かを判定する。
【００９０】
具体的には、図１０の場合、着信音に設定されている使用制限付きコンテンツ（コンテンツB）の使用状態は「使用不可状態」ではない（「使用可状態」である）が、少なくとも１つの予め用途が設定されているコンテンツAの使用状態が「使用不可状態」であることから、ユーザにより予め用途が設定されている使用制限付きコンテンツの現在の使用状態は、使用制限付きコンテンツを使用することができない使用不可状態であると判定される。
【００９１】
ステップＳ１５においてユーザにより予め用途が設定されている使用制限付きコンテンツの現在の使用状態が使用制限付きコンテンツを使用することができない使用不可状態であると判定された場合、使用状態判定部６９は、その判定結果を主制御部５１に供給する。ステップＳ１６において、主制御部５１は、使用状態判定部６９から供給された判定結果を取得し、取得された判定結果に基づき、LCD制御部５６を制御し、例えば、図１１に示されるような使用状態通知ダイアログ８１を液晶ディスプレイ３４に表示させる。
【００９２】
図１１の使用状態通知ダイアログ８１は、メッセージ表示欄８２、およびコマンドを表示するコマンド表示欄８３とコマンド表示欄８４を有する。
【００９３】
図１１の例の場合、メッセージ表示欄８２には、メッセージとして「現在○○に設定されているコンテンツは使用できません。詳細なコンテンツ管理情報を表示しますか？」が表示される。これにより、ユーザは、壁紙や着信音などに設定されている使用制限付きコンテンツが現在使用できず、これ以降の処理により、詳細なコンテンツ管理情報を表示させることができることが分かる。
【００９４】
コマンド表示欄８３とコマンド表示欄８４は、それぞれ、「Yes」と「No」というコマンドのアイコンを有している。ユーザは、操作キー３６を操作することにより、コマンド表示欄８３の「Yes」のコマンドアイコンを選択し、詳細なコンテンツ管理情報表示処理の開始を指令することができる。また、ユーザは、操作キー３６を操作することにより、コマンド表示欄８４の「No」のコマンドアイコンを選択し、詳細なコンテンツ管理情報表示処理をキャンセルすることができる。
【００９５】
ここで、図１１の使用状態通知ダイアログ８１など（後述する報知音なども含まれる）のように、ユーザに通知（提供）される、コンテンツ販売業者のコンテンツサーバ１６から購入した使用制限付きコンテンツの使用状態に関する情報を「使用状態関連情報」と定義する。
【００９６】
ステップＳ１７において、主制御部５１は、図１１の使用状態通知ダイアログ８１に基づいて、ユーザが操作キー３６を操作してコマンド表示欄８３の「Yes」のアイコンを選択することにより、詳細なコンテンツ管理情報の表示が指示されたか否かを判定する。
【００９７】
ユーザが操作キー３６を操作することによりコマンド表示欄８３の「Yes」のアイコンを選択した場合、ステップＳ１７で主制御部５１は、ユーザが操作キー３６を操作してコマンド表示欄８３の「Yes」のアイコンを選択することにより詳細なコンテンツ管理情報の表示が指示されたと判定する。
【００９８】
一方、ユーザが操作キー３６を操作することによりコマンド表示欄８４の「No」のアイコンを選択した場合、ステップＳ１７で主制御部５１は、ユーザが操作キー３６を操作してコマンド表示欄８３の「Yes」のアイコンを選択することにより詳細なコンテンツ管理情報の表示が指示されていないと判定する。
【００９９】
ステップＳ１７においてユーザが操作キー３６を操作してコマンド表示欄８３の「Yes」のアイコンを選択することにより詳細なコンテンツ管理情報の表示が指示されていないと判定された場合、主制御部５１はステップＳ１８で、更新されたコンテンツ管理データベースを参照して、予め用途（壁紙や着信音など）が設定されている使用制限付きコンテンツのうち、使用できないものがあるか否かを判定する。
【０１００】
具体的には、図１０の例の場合、着信音に設定されている使用制限付きコンテンツ（コンテンツB）の使用状態は「使用不可状態」ではない（「使用可状態」である）が、壁紙に設定されている使用制限付きコンテンツ（コンテンツA）の使用状態が「使用不可状態」であることから、ユーザにより予め用途が設定されている使用制限付きコンテンツの現在の使用状態は、予め用途（壁紙や着信音など）が設定されている使用制限付きコンテンツのうち、使用できないものがあると判定される。
【０１０１】
ステップＳ１８において予め用途（壁紙や着信音など）が設定されている使用制限付きコンテンツのうち使用できないものがあると判定された場合、主制御部５１はステップＳ１９で、記憶部６７に記憶されているデフォルト設定を読み出し、読み出されたデフォルト設定を使用する。具体的には、予め用途が設定されている使用制限付きコンテンツのうち使用できないものが壁紙に設定されていた使用制限付きコンテンツである場合、主制御部５１は、記憶部６７に記憶されている、カメラ付ディジタル携帯電話機１５の液晶ディスプレイ３４に壁紙として表示される使用制限のないデフォルトの壁紙のデータを読み出し、LCD制御部５６を制御し、読み出された使用制限のないデフォルトの壁紙を液晶ディスプレイ３４に表示させる。
【０１０２】
また、予め用途が設定されている使用制限付きコンテンツのうち使用できないものが着信音に設定されていた使用制限付きコンテンツである場合、主制御部５１は、例えば、記憶部６７に記憶されている、カメラ付ディジタル携帯電話機１５の着信音として用いられる使用制限のないデフォルトの着信音（音声信号）に基づいて着信音を設定する。これにより、他のユーザが保有するカメラ付ディジタル携帯電話機１５から着信があったとき、使用制限のないデフォルトの着信音が用いられる。
【０１０３】
その結果、ユーザは、使用制限付きコンテンツが使用できなくなった場合であって、使用できなくなった使用制限付きコンテンツの再度の使用を所望しないとき、例えば、カメラ付ディジタル携帯電話機１５の液晶ディスプレイ３４に使用制限のないデフォルトの壁紙を表示させることができる。従って、ライセンス情報により管理される使用制限付きコンテンツの利用性を向上させることができる。
【０１０４】
ステップＳ１８において予め用途（壁紙や着信音など）が設定されている使用制限付きコンテンツのうち使用できないものはないと判定された場合、ステップ１９の処理はスキップされ、使用状態判定処理は終了し、その後、図６のステップＳ１に戻り、ステップＳ１以降の処理が繰り返される。
【０１０５】
ステップＳ１７においてユーザが操作キー３６を操作することによりコマンド表示欄８３の「Yes」のアイコンが選択されたと判定された場合、主制御部５１はステップＳ２０で、記憶部６７に記憶されている更新された後のコンテンツ管理データベースを読み出し、LCD制御部５６を制御し、図１２に示されるように、読み出されたコンテンツ管理データベースに基づいてコンテンツ管理テーブル８４を液晶ディスプレイ３４に表示させる。
【０１０６】
図１２は、図４の液晶ディスプレイ３４に表示されるコンテンツ管理テーブル８４の表示例を表している。なお、図１２の第１列目と第２列目の「設定」と「コンテンツの名称」は、図９のコンテンツ管理データベースの第１列目と第２列目の「設定」欄と「コンテンツの名称」欄に登録される内容と同様であり、その説明は繰り返しになるので省略する。
【０１０７】
図１２の第３列目には、「現在の使用状態」が記載されており、使用制限付きコンテンツの現在の使用状態を示している。
【０１０８】
図１２の第１行目の場合、「設定」は「壁紙」であり、カメラ付ディジタル携帯電話機１５において使用制限付きコンテンツが用いられる設定（用途）が「壁紙」であることを示している。「コンテンツの名称」は「コンテンツA」であり、ユーザがコンテンツ販売業者のコンテンツサーバ１６から購入した使用制限付きコンテンツの名称が「コンテンツA」であることを示している。「現在の使用状態」は「使用不可状態」であり、使用制限付きコンテンツの現在の使用状態が「使用不可状態」であること（すなわち、使用制限付きコンテンツの現在の使用状態が使用することができない使用不可状態であること）を示している。
【０１０９】
図１２の第２行目の場合、「設定」は「着信音」であり、カメラ付ディジタル携帯電話機１５において使用制限付きコンテンツが用いられる設定（用途）が「着信音」であることを示している。「コンテンツの名称」は「コンテンツB」であり、ユーザがコンテンツ販売業者のコンテンツサーバ１６から購入した使用制限付きコンテンツの名称が「コンテンツB」であることを示している。「現在の使用状態」は「使用可状態」であり、使用制限付きコンテンツの現在の使用状態が「使用可状態」であり、３月５日３時３０分まで使用できること（すなわち、使用制限付きコンテンツの現在の使用状態が使用することができる使用可状態であること）を示している。
【０１１０】
図１２のコンテンツ管理テーブル８４の第３行目乃至第５行目についても同様であり、その説明は繰り返しになるので省略する。
【０１１１】
本発明の実施形態に示されたカメラ付ディジタル携帯電話機１５においては、記憶部６７に記憶されている使用制限付きコンテンツの現在の使用状態を表示するようにしたので、ユーザに使用制限付きコンテンツの現在の使用状態を通知することができる。
【０１１２】
これにより、ユーザは、購入した使用制限付きコンテンツの現在の使用状態を容易に知ることができる。従って、ライセンス情報に管理されている使用制限付きコンテンツの利用性を向上させることができる。
【０１１３】
図８に戻り、ユーザからの操作キー３６の操作により、図示せぬカーソルが液晶ディスプレイ３４の表示画面の各行、例えば、図１２の第１行目（「壁紙」、「コンテンツA」、および「使用不可状態」が表示されている行）に位置されると、その行はフォーカス状態となる。ユーザによりさらに操作キー３６が第２の筐体３３の内部方向に押圧されると（クリックされると）、ステップＳ２１において、主制御部５１は、LCD制御部５６を制御し、図１３[Ａ]または[Ｂ]に示されるようなライセンス購入ダイアログ８５を液晶ディスプレイ３４に表示させる。
【０１１４】
図１３[Ａ]または[Ｂ]のライセンス購入ダイアログ８５は、メッセージ表示欄８６、およびコマンドを表示するコマンド表示欄８７とコマンド表示欄８８を有する。
【０１１５】
図１３Ａ]または[Ｂ]の例の場合、メッセージ表示欄８６には、例えば「コンテンツAは、２月２８日１８時００分まで使用できます。残り使用可能期間が少なくなっております。新たなライセンスを購入しますか？」、または、「コンテンツAは月２８日１８時００分で使用期間が切れました。現在使用できません。新たなライセンスを購入しますか？」というメッセージが表示される。これにより、ユーザに、購入した使用制限付きコンテンツの使用制限情報（いつまで使用できるかなどの情報）を通知し、残り使用可能期間が少なくなったとき、あるいは使用制限付きコンテンツが使用できなくなったときに、使用ができなくなった使用制限付きコンテンツの新たなライセンスの購入、あるいは他の使用制限付きコンテンツの購入を促すことができる。その結果、ユーザは、購入した使用制限付きコンテンツの使用制限情報を知ることができ、これ以降の処理により、使用ができなくなった使用制限付きコンテンツの新たなライセンスを購入することができることが分かる。従って、ライセンス情報に管理される使用制限付きコンテンツの利用性を向上させることができる。
【０１１６】
コマンド表示欄８７とコマンド表示欄８８は、それぞれ、「Yes」と「No」というコマンドのアイコンを有している。ユーザは、操作キー３６を操作することにより、コマンド表示欄８８の「No」のコマンドアイコンを選択し、ライセンス購入処理をキャンセルすることができる。また、ユーザは、操作キー３６を操作することにより、コマンド表示欄８７の「Yes」のコマンドアイコンを選択し、ライセンス購入処理の開始を指令することができる。
【０１１７】
なお、ユーザからの操作キー３６の操作により、図示せぬカーソルが液晶ディスプレイ３４の表示画面の各行、例えば、図１２の第３行目（「未設定」、「コンテンツC」、および「使用可状態（残り３回）」が表示されている行）に位置され、第２の筐体３３の内部方向に押圧されると（クリックされると）、主制御部５１は、LCD制御部５６を制御し、図１４に示されるようなライセンス購入ダイアログ８５を液晶ディスプレイ３４に表示させる。
【０１１８】
図１４の例の場合、メッセージ表示欄８６には、メッセージとして「コンテンツCは、１０回使用できます。残りの使用回数は３回です。新たなライセンスを購入しますか？」が表示される。これにより、ユーザに、購入した使用制限付きコンテンツの使用制限情報（あと何回使用できるかなどの情報）を通知し使用制限付きコンテンツの新たなライセンスの購入、あるいは他の使用制限付きコンテンツの購入を促すことができる。その結果、ユーザは、これ以降の処理により、使用制限付きコンテンツの新たなライセンスを購入することができ、コンテンツCの使用を延長可能であることが分かる。従って、ライセンス情報に管理される使用制限付きコンテンツの利用性を向上させることができる。
【０１１９】
ステップＳ２２において、主制御部５１は、図１３のライセンス購入ダイアログ８５に基づいて、ユーザが操作キー３６を操作してコマンド表示欄８７の「Yes」のコマンドアイコンを選択することにより、新たなライセンスを購入するとの指示がなされたか否かを判定する。
【０１２０】
ユーザが操作キー３６を操作することによりコマンド表示欄８７の「Yes」のアイコンを選択した場合、ステップＳ２２で主制御部５１は、ユーザが操作キー３６を操作してコマンド表示欄８７の「Yes」のコマンドアイコンを選択することにより新たなライセンスを購入するとの指示がなされたと判定する。
【０１２１】
一方、ユーザが操作キー３６を操作することによりコマンド表示欄８８の「No」のアイコンを選択した場合、ステップＳ２２で主制御部５１は、ユーザが操作キー３６を操作してコマンド表示欄８７の「Yes」のコマンドアイコンを選択することにより新たなライセンスを購入するとの指示がなされていないと判定する。
【０１２２】
ステップＳ２２においてユーザが操作キー３６を操作してコマンド表示欄８７の「Yes」のコマンドアイコンを選択することにより新たなライセンスを購入するとの指示がなされていないと判定された場合、処理はステップＳ１８に進み、ステップＳ１８以降の処理が繰り返される。具体的には、予め用途が設定されている使用制限付きコンテンツのうち、使用できないものがある場合、記憶部６７に記憶されているデフォルト設定が読み出され、読み出されたデフォルト設定が使用される。
【０１２３】
これにより、ユーザは、使用制限付きコンテンツが使用できなくなった場合であって、使用できなくなった使用制限付きコンテンツの新たなライセンスを購入して再度使用したいとまでは強く所望しないとき、新たなライセンスを購入することなく、カメラ付ディジタル携帯電話機１５の液晶ディスプレイ３４に使用制限のないデフォルトの壁紙を表示させることができる。従って、ライセンス情報により管理されている使用制限付きコンテンツの利用性を向上させることができる。
【０１２４】
ステップＳ２２においてユーザが操作キー３６を操作してコマンド表示欄８７の「Yes」のコマンドアイコンを選択することにより新たなライセンスを購入するとの指示がなされたと判定された場合、主制御部５１はステップＳ２３で、変復調回路部５９を制御し、ネットワーク１１を介してコンテンツサーバ１６に接続させる。
【０１２５】
その後、カメラ付ディジタル携帯電話機１５は、ネットワーク１１を介してコンテンツサーバ１６に接続され、コンテンツサーバ１６で運営されるホームページがカメラ付ディジタル携帯電話機１５の液晶ディスプレイ３４に表示される。ユーザは、液晶ディスプレイ３４に表示されているコンテンツサーバ１６のホームページ上で、使用ができなくなった使用制限付きコンテンツの新たなライセンスを購入する操作を行う。
【０１２６】
具体的には、使用制限付きコンテンツのライセンス情報に含まれる使用制限情報が使用制限期間であった場合、新たに購入するライセンス情報に含まれる使用制限期間（例えば、１０日など）を決定する操作を行う。
【０１２７】
ステップＳ２４において、主制御部５１は、記憶部６７に記憶されている使用制限付きコンテンツのライセンスデータを読み出し、読み出された使用制限付きコンテンツのライセンスデータと、ユーザが操作キー３６を操作することにより入力された入力データに基づいて、図１５に示されるようなライセンス取得要求９１を生成する。
【０１２８】
図１５のライセンス取得要求９１の第１列目乃至第４列目には、「ユーザID」、「ライセンスID」、「コンテンツID」、「コンテンツの名称」および「取得要求使用情報」が記述されている。
【０１２９】
「ユーザID」は、コンテンツサーバ１６におけるユーザの識別番号を示しており、新たにライセンスデータを購入する使用制限付きコンテンツの購入時、あるいは以前の他の使用制限付きコンテンツの購入時においてコンテンツ販売業者のコンテンツサーバ１６から付与されたユーザIDであり、記憶部６７に記憶されているライセンスデータに含まれている。
【０１３０】
「ライセンスID」は、使用制限付きコンテンツのライセンスデータに付与されたライセンスの識別番号を示しており、使用制限付きコンテンツの購入時においてコンテンツ販売業者のコンテンツサーバ１６から付与されたライセンスIDであり、記憶部６７に記憶されているライセンスデータに含まれている。
【０１３１】
「コンテンツID」は、コンテンツサーバ１６における使用制限付きコンテンツの識別番号を示しており、使用制限付きコンテンツの購入時においてコンテンツ販売業者のコンテンツサーバ１６から付与されたコンテンツIDであり、記憶部６７に記憶されているライセンスデータに含まれている。
【０１３２】
「コンテンツの名称」は、コンテンツサーバ１６において販売されている使用制限付きコンテンツの名称を示しており、ユーザがコンテンツ販売業者のコンテンツサーバ１６から購入した使用制限付きコンテンツの名称であり、記憶部６７に記憶されているライセンスデータに含まれている。
【０１３３】
「取得要求使用情報」は、液晶ディスプレイ３４に表示されているコンテンツ販売業者のコンテンツサーバ１６のホームページ上で、ユーザが操作キー３６を操作することにより取得要求した使用制限付きコンテンツの使用情報を示している。
【０１３４】
図１５の例の場合、「ユーザID」は「００００１１」であり、コンテンツサーバ１６におけるユーザの識別番号が「００００１１」であることを示している。「ライセンスID」は「１１２０００」であり、使用制限付きコンテンツのライセンスデータに付与されたライセンスの識別番号が「１１２０００」であることを示している。「コンテンツID」は「０００１２５」であり、コンテンツサーバ１６における使用制限付きコンテンツの識別番号が「０００１２５」であることを示している。「取得要求使用情報」は「１０日」であり、液晶ディスプレイ３４に表示されているコンテンツ販売業者のコンテンツサーバ１６のホームページ上でユーザが操作キー３６を操作することにより取得要求した使用制限付きコンテンツの使用期間が「１０日」であることを示している。
【０１３５】
ステップＳ２５において、主制御部５１は、生成されたライセンス取得要求を変復調回路部５９に供給する。変復調回路部５９は、主制御部５１から供給されたライセンス取得要求をスペクトラム拡散処理し、送受信回路部６３に供給する。送受信回路部６３は、変復調回路部５９から供給されたライセンス取得要求にディジタルアナログ変換処理及び周波数変換処理を施した後にアンテナ６４を介してコンテンツサーバ１６に送信する。
【０１３６】
ステップＳ２６において、カメラ付ディジタル携帯電話機１５の送受信回路部６３は、コンテンツサーバ１６からネットワーク１１を介して新たなライセンスデータを受信し、変復調回路部５９に供給する。変復調回路部５９は、送受信回路部６３から供給された新たなライセンスデータをスペクトラム逆拡散処理し、記憶部６７に供給する。
【０１３７】
ステップＳ２７において、記憶部６７は、変復調回路部５９から供給された新たなライセンスデータを取得し、取得された新たなライセンスデータに基づいて、例えば、図１６に示されるようにコンテンツ管理データベースを更新する。
【０１３８】
図１６のコンテンツ管理データベースにおいては、図１０のコンテンツ管理データベースの第１行目の「使用制限情報」欄に登録されている「２月２８日１８時００分」が例えば「３月１１日１４時３０分」に更新され、図１０のコンテンツ管理データベースの第１行目の「使用状態」欄に登録されている「使用不可状態」が「使用可状態」に更新され、図１０のコンテンツ管理データベースの第１行目の「使用状態通知時期」欄に登録されている「２月２６日１８時００分」が「３月９日１４時３３分」に更新される。
【０１３９】
ステップＳ２８において、主制御部５１は、記憶部６７に記憶されている新たにライセンスが購入された予め用途（壁紙や着信音など）が設定されている使用制限付きコンテンツを読み出し、使用する。具体的には、新たにライセンスを購入した使用制限付きコンテンツが予め壁紙に設定されている場合、液晶ディスプレイ３４に新たにライセンスを購入した使用制限付きコンテンツが壁紙として表示される。また、新たにライセンスを購入した使用制限付きコンテンツが予め着信音に設定されている場合、他のユーザが保有するカメラ付ディジタル携帯電話機１５から着信があったとき、新たにライセンスを購入した使用制限付きコンテンツが記憶部６７から読み出され、着信音として用いられる。
【０１４０】
これにより、ユーザは、使用制限付きコンテンツが使用できなくなった場合であって、使用できなくなった使用制限付きコンテンツの再度の使用を強く所望するとき、使用できなくなった使用制限付きコンテンツの新たなライセンスを購入することにより、例えば、液晶ディスプレイ３４にその使用制限付きコンテンツを壁紙として表示することができる。従って、ライセンス情報により管理されている使用制限付きコンテンツの利用性を向上させることができる。
【０１４１】
ステップＳ１５においてユーザにより予め用途が設定されている使用制限付きコンテンツの現在の使用状態が使用制限付きコンテンツを使用することができない使用不可状態ではないと判定された場合（すなわち、ユーザにより予め用途が設定されている使用制限付きコンテンツの現在の使用状態が使用制限付きコンテンツを使用することができる使用可状態であると判定された場合）、使用状態判定部６９はステップＳ２９で、読み出された現在の日付と正確な時刻と更新された後のコンテンツ管理データベースを参照して、ユーザにより予め用途が設定されている使用制限付きコンテンツの現在の使用状態が、使用制限付きコンテンツを使用することができない使用不可状態になる前の予め設定された所定の使用可状態である（すなわち、ユーザにより予め用途が設定されている使用制限付きコンテンツの現在の使用状態が使用状態通知時期の時刻または回数を越えている）か否かを判定する。
【０１４２】
例えば、ステップＳ１１乃至Ｓ１４の処理により更新されたコンテンツ管理データベースが、図１７に示されるようなコンテンツ管理データベースである場合、現在の日付と正確な時刻が例えば「３月１日１４時１６分」であるとき、図１７の第２行目の着信音として設定されている使用制限付きコンテンツ（コンテンツB）の「使用状態通知時期」欄に登録されている使用通知時期は「３月３日９時００分」であるが、図１７の第１行目の壁紙として設定されている使用制限付きコンテンツ（コンテンツA）の「使用状態通知時期」欄に登録されている使用通知時期が「３月１日１４時０５分」であることから、ユーザにより予め用途が設定されている使用制限付きコンテンツの現在の使用状態が、使用制限付きコンテンツを使用することができない使用不可状態になる前の予め設定された所定の使用可状態であると判定される。
【０１４３】
ステップＳ２９において現在の使用状態が使用制限付きコンテンツを使用することができない使用不可状態になる前の予め設定された所定の使用可状態であると判定された場合、処理はステップＳ１６に進み、その後、ステップＳ１６以降の処理が繰り返される。なお、この場合、ステップＳ１６の処理において、図１８に示されるような使用状態通知ダイアログ８１が表示される。
【０１４４】
図１８の例の場合、メッセージ表示欄８２には、メッセージとして「現在○○に設定されているコンテンツは使用できます。詳細なコンテンツ管理情報を表示しますか？」が表示される。これにより、ユーザは、これ以降の処理により、詳細なコンテンツ管理情報を表示させることができることが分かる。
【０１４５】
これにより、購入した使用制限付きコンテンツが使用できなくなる前に、使用制限付きコンテンツの現在の使用状態をユーザに通知することができる。その結果、ユーザは、購入した使用制限付きコンテンツが使用できなくなる前に、使用制限付きコンテンツの現在の使用状態を知ることができ、新たなライセンスを購入することにより使用期間や使用回数を延長させたり、あるいは、他の使用制限付きコンテンツの購入を検討することができる。従って、ライセンス情報により管理される使用制限付きコンテンツの利用性を向上させることができる。
【０１４６】
ステップＳ２９において現在の使用状態が使用制限付きコンテンツを使用することができない使用不可状態になる前の予め設定された所定の使用可状態ではないと判定された場合（すなわち、現在の使用状態が、使用制限付きコンテンツを使用することができない使用不可状態になる前の予め設定された所定の使用可状態より前であると判定された場合）、処理は図６のステップＳ１に戻り、その後、ステップＳ２以降の処理が繰り返される。
【０１４７】
図６に戻り、ステップＳ２においてカメラ付ディジタル携帯電話機１５の状態が閉じた状態から開いた状態に変更されていないと判定された場合、使用状態監視開始判定部６８はステップＳ５で、ユーザが操作キー３６を操作することにより操作キー３６のいずれかの操作キーが押下されたか否かを判定する。
【０１４８】
ステップＳ５においてユーザが操作キー３６を操作することにより操作キー３６のいずれかの操作キーが押下されたと判定された場合、処理はステップＳ３に進み、ステップＳ３以降の処理が繰り返される。すなわち、主制御部５１において、使用状態判定開始制御信号が生成され、使用状態判定処理が実行される。
【０１４９】
ステップＳ５においてユーザが操作キー３６を操作することにより操作キー３６のいずれかの操作キーが押下されていないと判定された場合、使用状態監視開始判定部６８はステップＳ６で、他のユーザが保有するカメラ付ディジタル携帯電話機１５からの着信やユーザにより予め設定されたアラームなど割り込みイベントが発生したか否かを判定する。
【０１５０】
ステップＳ６において割り込みイベントが発生したと判定された場合、処理はステップＳ３に進み、ステップＳ３以降の処理が繰り返される。すなわち、主制御部５１において、使用状態判定開始制御信号が生成され、使用状態判定処理が実行される。
【０１５１】
ステップＳ６において割り込みイベントが発生していないと判定された場合、使用状態監視開始判定部６８はステップＳ７で、カメラ付ディジタル携帯電話機１５の省電力モード状態（液晶ディスプレイ３４の電源がOFFの状態）が解除されたか否かを判定する（すなわち、液晶ディスプレイ３４の電源がOFFの状態である省電力モード状態から液晶ディスプレイ３４の電源がONの状態になされたか否かを判定する）。
【０１５２】
ステップＳ７においてカメラ付ディジタル携帯電話機１５の省電力モード状態が解除されたと判定された場合、処理はステップＳ３に進み、ステップＳ３以降の処理が繰り返される。すなわち、主制御部５１において、使用状態判定開始制御信号が生成され、使用状態判定処理が実行される。
【０１５３】
ステップＳ７においてカメラ付ディジタル携帯電話機１５の省電力モード状態が解除されていないと判定された場合、処理はステップＳ１に戻り、ステップＳ１以降の処理が繰り返される。
【０１５４】
本発明の実施形態に示されたカメラ付ディジタル携帯電話機１５においては、図６のステップＳ４の使用状態判定処理を行う前に、ステップＳ２およびステップＳ５乃至Ｓ７において購入した使用制限付きコンテンツの現在の使用状態をユーザに通知するにあたり好適な状況であるか否かを判定する使用状態監視開始判定処理を行うようにしたので、購入した使用制限付きコンテンツの現在の使用状態をユーザに的確にタイミングよく通知することができるとともに、使用状態判定処理を行うことによる消費電力を軽減することができる。
【０１５５】
次に、図１９のフローチャートを参照して、図８のステップＳ２５のライセンス取得要求送信処理に対応する、コンテンツサーバ１６のライセンスデータ配信処理について説明する。
【０１５６】
ステップＳ３１において、送受信部７１は、カメラ付ディジタル携帯電話機１５からネットワーク１１を介してライセンス取得要求９１を受信し、データ処理部７２に供給する。ステップＳ３２において、データ処理部７２は、ライセンスデータデータベース７４に管理されているライセンスデータデータベースを読み出す。
【０１５７】
図２０は、ライセンスデータデータベース７４に管理されているライセンスデータデータベースの構成例を表している。なお、図２０の第２列目、第４列目乃至第７列目の「ユーザID」欄、「ライセンスID」欄、「コンテンツID」欄、「コンテンツの名称」欄、および「使用制限情報」欄に登録される内容は、図１５のライセンス取得要求９１の第１列目乃至第３列目の「ユーザID」、「ライセンスID」、および「コンテンツID」と、図９のコンテンツ管理データベースの第２列目と第３列目の「コンテンツの名称」欄および「使用制限情報」欄に登録される内容と同様であり、その説明は繰り返しになるので省略する。
【０１５８】
図２０の第１列目と第３列目には、「管理番号」欄および「ユーザ名」欄が設けられており、それぞれの欄には、コンテンツサーバ１６における管理の番号、コンテンツ販売業者のコンテンツサーバ１６から使用制限付きコンテンツを購入したユーザの名前が登録される。
【０１５９】
図２０の第１行目の場合、「管理番号」欄には例えば「０００１」が登録されており、コンテンツサーバ１６における管理の番号が「０００１」であることを示している。「ユーザID」欄には例えば「０００００５」が登録されており、コンテンツサーバ１６におけるユーザの識別番号が「０００００５」であることを示している。「ユーザ名」欄には例えば「青木太郎」が登録されており、コンテンツ販売業者のコンテンツサーバ１６から使用制限付きコンテンツを購入したユーザの名前が「青木太郎」であることを示している。「ライセンスID」欄には「０００１３８」と「００００９８」が登録されており、使用制限付きコンテンツのライセンスデータに付与されたライセンスの識別番号が「０００１３８」と「００００９８」であることを示している。「コンテンツID」欄には「００００３８」と「０００１０１」が登録されており、コンテンツサーバ１６における使用制限付きコンテンツの識別番号が「００００３８」と「０００１０１」であることを示している。「コンテンツの名称」欄には「コンテンツA」と「コンテンツP」が登録されており、ユーザがコンテンツ販売業者のコンテンツサーバ１６から購入した使用制限付きコンテンツの名称が「コンテンツA」と「コンテンツP」であることを示している。「使用制限情報」欄には「３月２０日１２時３０分」と「１０回」が登録されており、使用制限付きコンテンツのライセンスデータに含まれる使用の制限情報が「３月２０日１２時３０分」と「１０回」であることを示している。
【０１６０】
図２０の第２行目の場合、「管理番号」欄には例えば「０００２」が登録されており、コンテンツサーバ１６における管理の番号が「０００２」であることを示している。「ユーザID」欄には例えば「００００１１」が登録されており、コンテンツサーバ１６におけるユーザの識別番号が「００００１１」であることを示している。「ユーザ名」欄には例えば「山田花子」が登録されており、コンテンツ販売業者のコンテンツサーバ１６から使用制限付きコンテンツを購入したユーザの名前が「山田花子」であることを示している。「ライセンスID」欄には「１１２０００」が登録されており、使用制限付きコンテンツのライセンスデータに付与されたライセンスの識別番号が「１１２０００」であることを示している。「コンテンツID」欄には「０００１２５」が登録されており、コンテンツサーバ１６における使用制限付きコンテンツの識別番号が「０００１２５」であることを示している。「コンテンツの名称」欄には「コンテンツA」が登録されており、ユーザがコンテンツ販売業者のコンテンツサーバ１６から購入した使用制限付きコンテンツの名称が「コンテンツA」であることを示している。「使用制限情報」欄には「２月２８日１８時００分」が登録されており、使用制限付きコンテンツのライセンスデータに含まれる使用の制限情報が「２月２８日１８時００分」であることを示している。
【０１６１】
ステップＳ３３において、データ処理部７２は、読み出されたライセンスデータデータベース７４に管理されているライセンスデータデータベースを参照して、送受信部７１から供給されたライセンス取得要求９１を解析する。具体的には、ライセンス取得要求に含まれるユーザID、ライセンスID、コンテンツID、およびコンテンツの名称に基づいて、ライセンス取得要求９１を送信してきたユーザを認証するとともに、ライセンス取得要求９１に含まれる取得要求使用情報が「１０日」であることを解析する。
【０１６２】
ステップＳ３４において、データ処理部７２は、解析結果に基づいて、図２１に示されるような新たなライセンスデータを生成する。
【０１６３】
図２１のライセンスデータの場合、「管理番号」は例えば「０００２」であり、コンテンツサーバ１６における管理の番号が「０００２」であることを示している。「ユーザID」は例えば「００００１１」であり、コンテンツサーバ１６におけるユーザの識別番号が「００００１１」であることを示している。「ライセンスID」は「１１２０００」であり、使用制限付きコンテンツのライセンスデータに付与されたライセンスの識別番号が「１１２０００」であることを示している。「コンテンツID」は「０００１２５」であり、コンテンツサーバ１６における使用制限付きコンテンツの識別番号が「０００１２５」であることを示している。「コンテンツの名称」は「コンテンツA」であり、ユーザがコンテンツ販売業者のコンテンツサーバ１６から購入した使用制限付きコンテンツの名称が「コンテンツA」であることを示している。「使用制限情報」は「３月１１日１４時３０分」であり、使用制限付きコンテンツのライセンスデータに含まれる使用の制限情報が「３月１１日１４時３０分」であることを示している。
【０１６４】
データ処理部７２は、生成された新たなライセンスデータをライセンスデータデータベース７４に供給するとともに、送受信部７１に供給する。
【０１６５】
ステップＳ３５において、ライセンスデータデータベース７４は、データ処理部７２から供給された新たなライセンスデータを取得し、取得された新たなライセンスデータに基づいて、図２２に示されるようにライセンスデータデータベースを更新する。
【０１６６】
図２２の場合、第２行目の「ライセンスID」欄に登録されていた「１１２０００」が「１１２００１」に更新され、「使用制限情報」欄に登録されていた「２月２８日１８時００分」が「３月１１日１４時３０分」に更新される。
【０１６７】
ステップＳ３６において、送受信部７１は、データ処理部７２から供給された新たなライセンスデータを取得し、取得された新たなライセンスデータをネットワーク１１を介してカメラ付ディジタル携帯電話機１５に送信する。
【０１６８】
なお、本発明の実施形態に示されたカメラ付ディジタル携帯電話機１５においては、ユーザに使用制限付きコンテンツの現在の使用状態に関する使用状態関連情報を通知する場合、使用状態通知ダイアログ８１（図１１と図１８）やコンテンツ管理テーブル８４（図１２）などを表示することにより通知するようにしたが、そのような場合に限られず、例えば、ポップアップ画面を表示することによりユーザに通知してもよいし、予め記憶部６７に記憶されている使用制限付きコンテンツの現在の使用状態に応じた報知音を発生することにより通知するようにしてもよい。
【０１６９】
また、本発明の実施形態に示されたカメラ付ディジタル携帯電話機１５においては、ユーザがコンテンツ販売業者のコンテンツサーバ１６から購入した使用制限付きコンテンツの管理を、記憶部６７におけるコンテンツ管理データベースで行うようにしているが、このような場合に限られず、記憶部６７に記憶されている使用制限付きコンテンツライセンスデータごとに管理するようにしてもよい。
【０１７０】
なお、本発明は、携帯電話機以外にも、PDA（Personal Digital Assistant）、パーソナルコンピュータ、その他の情報処理装置にも適用することができる。
【０１７１】
また、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０１７２】
【図１】本発明を適用したネットワークシステムの全体の構成を示す概略図。
【図２】図１のカメラ付ディジタル携帯電話機を約１８０度に開いたときの正面と側面から見た外観の構成を示す図。
【図３】図１のカメラ付のディジタル携帯電話機を閉じたときの正面と側面から見た外観の構成を示す図。
【図４】図１のカメラ付のディジタル携帯電話機の内部の構成を示すブロック図。
【図５】図１のコンテンツサーバの内部の構成を示すブロック図。
【図６】図４のカメラ付のディジタル携帯電話機における使用状態監視処理を説明するフローチャート。
【図７】図４の液晶ディスプレイに表示される使用制限付きコンテンツの表示例を示す図。
【図８】図６のステップＳ４における使用状態判定処理の詳細を説明するフローチャート。
【図９】図４の記憶部に記憶されているコンテンツ管理データベースの構成例を示す図。
【図１０】図４の記憶部に記憶されているコンテンツ管理データベースの他の構成例を示す図。
【図１１】図４の液晶ディスプレイに表示される使用状態通知ダイアログの表示例を示す図。
【図１２】図４の液晶ディスプレイに表示されるコンテンツ管理テーブルの表示例を示す図。
【図１３】図４の液晶ディスプレイに表示されるライセンス購入ダイアログの表示例を示す図。
【図１４】図４の液晶ディスプレイに表示されるライセンス購入ダイアログの他の表示例を示す図。
【図１５】図４の主制御部において生成されるライセンスデ取得要求の構成例を示す図。
【図１６】図４の記憶部に記憶されているコンテンツ管理データベースの他の構成例を示す図。
【図１７】図４の記憶部に記憶されているコンテンツ管理データベースの他の構成例を示す図。
【図１８】図４の液晶ディスプレイに表示される使用状態通知ダイアログの他の表示例を示す図。
【図１９】図５のコンテンツサーバにおけるコンテンツ配信処理を説明するフローチャート。
【図２０】図５のライセンスデータデータベースに管理されているライセンスデータデータベースの構成例を示す図。
【図２１】図５のデータ処理部において生成されるライセンスデータの構成例を示す図。
【図２２】図５のライセンスデータデータベースに管理されているライセンスデータデータベースの他の構成例を示す図。
【符号の説明】
【０１７３】
１  ネットワークシステム
１１  ネットワーク
１２  アクセスサーバ
１３  公衆回線網
１４−１乃至１４−４  基地局
１５−１乃至１５−４  カメラ付のディジタル携帯電話機
１６−１乃至１６−４  コンテンツサーバ
１７  コンテンツ提供装置
３１  ヒンジ
３２  第１の筐体
３３  第２の筐体
３４  液晶ディスプレイ
３５  スピーカ
３６  操作キー
３７  マイクロフォン
３８  サイドキー
３９a乃至３９d  磁気センサ
４０  CCDカメラ
４１  サブディスプレイ
４２  静電タッチパッド
５１  主制御部
５２  電源回路
５３  操作入力制御部
５４  画像エンコーダ
５５  カメラI/F部
５６  LCD制御部
５７  画像デコーダ
５８  多重分離部
５９  変復調回路部
６０  音声コーデック
６１  メインバス
６２  同期バス
６３  送受信回路部
６４  アンテナ
６５  記録再生部
６６  メモリカード
６７  記憶部
６８  使用状態監視開始判定部
６９  使用状態判定部
７１  送受信部
７２  データ処理部
７３  コンテンツデータベース
７４  ライセンスデータデータベース
【図１】
2007257493.tif 000003
【図２】
2007257493.tif 000004
【図３】
2007257493.tif 000005
【図４】
2007257493.tif 000006
【図５】
2007257493.tif 000007
【図６】
2007257493.tif 000008
【図７】
2007257493.tif 000009
【図８】
2007257493.tif 000010
【図９】
2007257493.tif 000011
【図１０】
2007257493.tif 000012
【図１１】
2007257493.tif 000013
【図１２】
2007257493.tif 000014
【図１３】
2007257493.tif 000015
【図１４】
2007257493.tif 000016
【図１５】
2007257493.tif 000017
【図１６】
2007257493.tif 000018
【図１７】
2007257493.tif 000019
【図１８】
2007257493.tif 000020
【図１９】
2007257493.tif 000021
【図２０】
2007257493.tif 000022
【図２１】
2007257493.tif 000023
【図２２】
2007257493.tif 000024